(57)【要約】  【課題】  高周波領域において、２つのベクトル信号を加算することが可能な加算回路およびそれを用いた電力増幅回路ならびにそれを用いた送信装置および通信装置を提供する。  【解決手段】  第１，第２高周波入力信号Ｓｉ１，Ｓｉ２と第１，第２基準信号Ｒｅｆ１，Ｒｅｆ２とを第１〜第４乗算器11〜14が乗算して第１〜第４直流出力信号Ｓｄ１〜Ｓｄ４を出力し、そのうち同相の信号同士を第１，第２加算器21，22が加算して第５，第６直流出力信号Ｓｄ５，Ｓｄ６を出力し、それらと第１，第２基準信号Ｒｅｆ１，Ｒｅｆ２とを第５，第６乗算器15，16が乗算して第１，第２高周波出力信号Ｓｏ１，Ｓｏ２を出力し、それらが合成されて第１，第２高周波入力信号Ｓｉ１，Ｓｉ２がベクトル加算された信号である第３高周波出力信号Ｓｏ３が出力端子44から出力される加算回路である。高周波領域でも使用可能な加算回路である。【選択図】  図１
2010153967.tif 000002
【特許請求の範囲】
【請求項１】
入力された第１高周波入力信号および該第１高周波入力信号に周波数が等しい第１基準信号を乗算して第１直流出力信号を出力する第１乗算器と、
入力された前記第１高周波入力信号と前記第１基準信号に対して位相が90°だけ進んだ第２基準信号とを乗算して第２直流出力信号を出力する第２乗算器と、
入力された前記第１高周波入力信号に周波数が等しい第２高周波入力信号および前記第１基準信号を乗算して第３直流出力信号を出力する第３乗算器と、
入力された前記第２高周波入力信号および前記第２基準信号を乗算して第４直流出力信号を出力する第４乗算器と、
入力された前記第１直流出力信号および前記第３直流出力信号を加算して第５直流出力信号を出力する第１加算器と、
入力された前記第２直流出力信号および前記第４直流出力信号を加算して第６直流出力信号を出力する第２加算器と、
入力された前記第５直流出力信号および前記第１基準信号を乗算して第１高周波出力信号を出力する第５乗算器と、
入力された前記第６直流出力信号および前記第２基準信号を乗算して第２高周波出力信号を出力する第６乗算器と、
前記第５乗算器および前記第６乗算器に接続されて前記第１高周波出力信号および前記第２高周波出力信号が加算された第３高周波出力信号を出力する出力端子とを備えることを特徴とする加算回路。
【請求項２】
前記第１加算器は、前記第１直流出力信号および前記第３直流出力信号とともに、入力された第１直流補助信号を加算して前記第５直流出力信号を出力し、
前記第２加算器は、前記第２直流出力信号および前記第４直流出力信号とともに、入力された第２直流補助信号を加算して前記第６直流出力信号を出力することを特徴とする請求項１に記載の加算回路。
【請求項３】
包絡線変動を有する入力信号を２つの定包絡線信号に変換して出力する定包絡線信号生成回路と、入力された前記２つの定包絡線信号をそれぞれ増幅して出力する２つの増幅器と、増幅後の前記２つの定包絡線信号が前記第１高周波入力信号および前記第２高周波入力信号として入力される請求項１または請求項２に記載の加算回路とを備えることを特徴とする電力増幅回路。
【請求項４】
送信回路が請求項３に記載の電力増幅回路を介してアンテナに接続されていることを特徴とする送信装置。
【請求項５】
送信回路および受信回路がアンテナに接続されており、前記送信回路と前記アンテナとの間に請求項３に記載の電力増幅回路が挿入されていることを特徴とする通信装置。
【発明の詳細な説明】
【技術分野】
【０００１】
本発明は、加算回路およびそれを用いた電力増幅器ならびにそれを用いた送信装置および通信装置に関するものであり、特に、２つの高周波信号を加算することが可能な加算回路およびそれを用いた電力増幅回路ならびにそれを用いた送信装置および通信装置に関するものである。
【背景技術】
【０００２】
複数の信号の加算信号を得るための加算回路として、オペアンプを用いた加算回路が広く用いられている（例えば、特許文献１参照。）。
【特許文献１】特開平６−51002
【発明の開示】
【発明が解決しようとする課題】
【０００３】
しかしながら、オペアンプを用いた加算回路は、オペアンプ内にあるトランジスタの持つ寄生容量と帰還抵抗の積によって決まる最大動作周波数までしか使用できないため、高周波領域では使用することができないという問題があった。
【０００４】
本発明はこのような問題点に鑑みて案出されたものであり、その目的は、高周波領域において、２つのベクトル信号を加算することが可能な加算回路およびそれを用いた電力増幅回路ならびにそれを用いた送信装置および通信装置を提供することにある。
【課題を解決するための手段】
【０００５】
本発明の加算回路は、入力された第１高周波入力信号および該第１高周波入力信号に周波数が等しい第１基準信号を乗算して第１直流出力信号を出力する第１乗算器と、入力された前記第１高周波入力信号と前記第１基準信号に対して位相が90°だけ進んだ第２基準信号とを乗算して第２直流出力信号を出力する第２乗算器と、入力された前記第１高周波入力信号に周波数が等しい第２高周波入力信号および前記第１基準信号を乗算して第３直流出力信号を出力する第３乗算器と、入力された前記第２高周波入力信号および前記第２基準信号を乗算して第４直流出力信号を出力する第４乗算器と、入力された前記第１直流出力信号および前記第３直流出力信号を加算して第５直流出力信号を出力する第１加算器と、入力された前記第２直流出力信号および前記第４直流出力信号を加算して第６直流出力信号を出力する第２加算器と、入力された前記第５直流出力信号および前記第１基準信号を乗算して第１高周波出力信号を出力する第５乗算器と、入力された前記第６直流出力信号および前記第２基準信号を乗算して第２高周波出力信号を出力する第６乗算器と、前記第５乗算器および前記第６乗算器に接続されて前記第１高周波出力信号および前記第２高周波出力信号が加算された第３高周波出力信号を出力する出力端子とを備えることを特徴とするものである。
【０００６】
また、本発明の加算回路は、上記構成において、前記第１加算器は、前記第１直流出力信号および前記第３直流出力信号とともに、入力された第１直流補助信号を加算して前記第５直流出力信号を出力し、前記第２加算器は、前記第２直流出力信号および前記第４直流出力信号とともに、入力された第２直流補助信号を加算して前記第６直流出力信号を出力することを特徴とするものである。
【０００７】
本発明の電力増幅回路は、包絡線変動を有する入力信号を２つの定包絡線信号に変換して出力する定包絡線信号生成回路と、入力された前記２つの定包絡線信号をそれぞれ増幅して出力する２つの増幅器と、増幅後の前記２つの定包絡線信号が前記第１高周波入力信号および前記第２高周波入力信号として入力される上記各構成のいずれかの本発明の加算回路とを備えることを特徴とするものである。
【０００８】
本発明の送信装置は、送信回路が上記構成の本発明の電力増幅回路を介してアンテナに接続されていることを特徴とするものである。
【０００９】
本発明の通信装置は、送信回路および受信回路がアンテナに接続されており、前記送信回路と前記アンテナとの間に上記構成の本発明の電力増幅回路が挿入されていることを特徴とするものである。
【発明の効果】
【００１０】
本発明の加算回路は、第１高周波入力信号および第１高周波入力信号に周波数が等しい第１基準信号を乗算して第１直流出力信号を出力する第１乗算器と、第１高周波入力信号と第１基準信号に対して位相が90°だけ進んだ第２基準信号とを乗算して第２直流出力信号を出力する第２乗算器と、第１高周波入力信号に周波数が等しい第２高周波入力信号および第１基準信号を乗算して第３直流出力信号を出力する第３乗算器と、第２高周波入力信号および第２基準信号を乗算して第４直流出力信号を出力する第４乗算器と、第１直流出力信号および第３直流出力信号を加算して第５直流出力信号を出力する第１加算器と、第２直流出力信号および第４直流出力信号を加算して第６直流出力信号を出力する第２加算器と、第５直流出力信号および第１基準信号を乗算して第１高周波出力信号を出力する第５乗算器と、第６直流出力信号および第２基準信号を乗算して第２高周波出力信号を出力する第６乗算器と、第５乗算器および第６乗算器に接続されて第１高周波出力信号および第２高周波出力信号が加算された第３高周波出力信号を出力する出力端子とを備える。このような構成を備える本発明の加算回路によれば、入力された第１高周波入力信号および第２高周波入力信号のそれぞれを互いに直交する信号の直流成分である２つの直流信号に変換した後に、互いに同相の信号の直流成分である直流信号同士を第１加算器および第２加算器で加算して２つの直流信号を得るとともに、その２つの直流信号を互いに直交する２つの高周波信号に変換した後で合成することにより、第１高周波入力信号および第２高周波入力信号が加算された信号である第３高周波出力信号を得ることができる。よって、第１加算器および第２加算器で加算するのは直流信号であるため、高周波領域でも良好に使用可能な加算回路を得ることができる。
【００１１】
また、本発明の加算回路によれば、第１加算器が、第１直流出力信号および第３直流出力信号とともに、入力された第１直流補助信号を加算して第５直流出力信号を出力し、第２加算器が、第２直流出力信号および第４直流出力信号とともに、入力された第２直流補助信号を加算して第６直流出力信号を出力するときには、第１直流補助信号および第２直流補助信号の電圧を変化させることにより、第３高周波出力信号の振幅および位相を変化させることができるので、第３高周波出力信号の振幅および位相を制御可能な加算回路を得ることができる。
【００１２】
本発明の電力増幅回路によれば、包絡線変動を有する入力信号を２つの定包絡線信号に変換して出力する定包絡線信号生成回路と、入力された２つの定包絡線信号をそれぞれ増幅して出力する２つの増幅器と、増幅後の２つの定包絡線信号が第１高周波入力信号および第２高周波入力信号として入力される前述した本発明の加算回路とを備えることから、増幅器として電力付加効率の高い非線形増幅器を用いることができるので、包絡線変動を有する入力信号を高い電力付加効率で増幅することができるとともに、高周波領域でも使用可能な電力増幅回路を得ることができる。
【００１３】
本発明の送信装置によれば、送信回路が前述した本発明の電力増幅回路を介してアンテナに接続されていることから、高周波領域でも使用可能で電力付加効率が高い本発明の電力増幅回路を用いて送信回路からの包絡線変動を有する送信信号を増幅することができるので、高周波領域でも使用可能で消費電力が小さい送信装置を得ることができる。
【００１４】
本発明の通信装置によれば、送信回路および受信回路がアンテナに接続されており、送信回路とアンテナとの間に前述した本発明の電力増幅回路が挿入されていることから、高周波領域でも使用可能で電力付加効率が高い本発明の電力増幅回路を用いて送信回路からの包絡線変動を有する送信信号を増幅することができるので、高周波領域でも使用可能で消費電力が小さい送信装置を得ることができる。
【発明を実施するための最良の形態】
【００１５】
以下、本発明の加算回路ならびにそれを用いた送信装置および通信装置を添付の図面を参照しつつ詳細に説明する。
【００１６】
（実施の形態の第１の例）
図１は本発明の加算回路の実施の形態の一例を模式的に示すブロック図である。
【００１７】
本例の加算回路は、図１に示すように、第１入力端子41，第２入力端子42，第３入力端子43，出力端子44，第１制御端子45，第２制御端子46，第１乗算器11，第２乗算器12，第３乗算器13，第４乗算器14，第５乗算器15，第６乗算器16，第１加算器21，第２加算器22，移相器31および移相器32を備えている。
【００１８】
また、第１入力端子41は第１乗算器11および第２乗算器12に接続されており、第２入力端子42は第３乗算器13および第４乗算器14に接続されており、第３入力端子43は第１乗算器11，第３乗算器13，第５乗算器15および移相器31，32に接続されている。移相器31は第２乗算器12および第６乗算器16に接続されており、移相器32は第４乗算器14に接続されている。第１乗算器11，第３乗算器13および第１制御端子45は第１加算器21に接続されており、第１加算器21は第５乗算器15に接続されている。また、第２乗算器12，第４乗算器14および第２制御端子46は第２加算器22に接続されており、第２加算器22は第６乗算器16に接続されている。そして、第５乗算器15および第６乗算器は出力端子44に接続されている。
【００１９】
次に、本例の加算回路の動作について説明する。本例の加算回路においては、加算すべき第１高周波入力信号Ｓｉ１および第２高周波入力信号Ｓｉ２が第１入力端子41および第２入力端子42にそれぞれ入力され、第１基準信号Ｒｅｆ１が第３入力端子43に入力される。第１高周波入力信号Ｓｉ１は、第１入力端子41を介して第１乗算器11および第２乗算器12に入力され、第２高周波入力信号Ｓｉ２は、第２入力端子42を介して第３乗算器13および第４乗算器14に入力される。第１基準信号Ｒｅｆ１は、第３入力端子43を介して第１乗算器11および第３乗算器13に入力される。また、第１基準信号Ｒｅｆ１は、第１加算器21および第２加算器22に入力され、第１加算器21および第２加算器22で移相されて、第１基準信号Ｒｅｆ１よりも移相が90°進んだ第２基準信号Ｒｅｆ２として出力される。第２基準信号Ｒｅｆ２は第２乗算器12および第４乗算器14に入力される。
【００２０】
ここで、第１高周波入力信号Ｓｉ１，第２高周波入力信号Ｓｉ２，第１基準信号Ｒｅｆ１および第２基準信号Ｒｅｆ２は互いに周波数が等しい信号であり、例えば、第１高周波入力信号Ｓｉ１＝Ａ（ｔ）ｃｏｓ（ωｔ＋θＡ（ｔ）），第２高周波入力信号Ｓｉ２＝Ｂ（ｔ）ｃｏｓ（ωｔ＋θＢ（ｔ）），第１基準信号Ｒｅｆ１＝ｃｏｓωｔ，第２基準信号Ｒｅｆ２＝ｓｉｎωｔと記述することができる。なお、Ａ（ｔ）は第１高周波入力信号Ｓｉ１の振幅の時間関数，θＡ（ｔ）は入第１高周波入力信号Ｓｉ１の位相の時間関数，Ｂ（ｔ）は第２高周波入力信号Ｓｉ２の振幅の時間関数，θＢ（ｔ）は第２高周波入力信号Ｓｉ２の位相の時間関数である。
【００２１】
第１乗算器11は、入力された第１高周波入力信号Ｓｉ１および第１基準信号Ｒｅｆ１を乗算して、（１／２）Ａ（ｔ）（ｃｏｓ（２ωｔ＋θＡ（ｔ））＋ｃｏｓ（θＡ（ｔ）））を得るが、第１乗算器11内のキャパシタを用いた高調波抑圧回路によって高調波成分が除去されて、第１乗算器11から第１直流出力信号Ｓｄ１＝（１／２）Ａ（ｔ）ｃｏｓ（θＡ（ｔ））が出力される。また、第２乗算器12は、入力された第１高周波入力信号Ｓｉ１および第２基準信号Ｒｅｆ２を乗算して、（１／２）Ａ（ｔ）（ｓｉｎ（２ωｔ＋θＡ（ｔ））−ｓｉｎ（θＡ（ｔ）））を得るが、第２乗算器12内のキャパシタを用いた高調波抑圧回路によって高調波成分が除去されて、第２乗算器12から第２直流出力信号Ｓｄ２＝（−１／２）Ａ（ｔ）ｓｉｎ（θＡ（ｔ））が出力される。このようにして、第１高周波入力信号Ｓｉ１は第１基準信号Ｒｅｆ１を基準として２つの直流信号に分解される。
【００２２】
同様に、第３乗算器13は、入力された第２高周波入力信号Ｓｉ２および第１基準信号Ｒｅｆ１を乗算して、（１／２）Ｂ（ｔ）（ｃｏｓ（２ωｔ＋θＢ（ｔ））＋ｃｏｓ（θＢ（ｔ）））を得るが、第３乗算器13内のキャパシタを用いた高調波抑圧回路によって高調波成分が除去されて、第３乗算器13から第３直流出力信号Ｓｄ３＝（１／２）Ｂ（ｔ）ｃｏｓ（θＢ（ｔ））が出力される。また、第４乗算器14器は、入力された第２高周波入力信号Ｓｉ２および第２基準信号Ｒｅｆ２を乗算して、（１／２）Ｂ（ｔ）（ｓｉｎ（２ωｔ＋θＢ（ｔ））−ｓｉｎ（θＢ（ｔ）））を得るが、第４乗算器14内のキャパシタを用いた高調波抑圧回路によって高調波成分が除去されて、第４乗算器14から第４直流出力信号Ｓｄ４＝（−１／２）Ｂ（ｔ）ｓｉｎ（θＢ（ｔ））が出力される。このようにして、第２高周波入力信号Ｓｉ２は第１基準信号Ｒｅｆ１を基準として２つの直流信号に分解される。
【００２３】
そして、第１直流出力信号Ｓｄ１および第３直流出力信号Ｓｄ３は第１加算器21に入力され、第２直流出力信号Ｓｄ２および第４直流出力信号Ｓｄ４は第２加算器22に入力される。第１加算器21は入力された第１直流出力信号Ｓｄ１および第３直流出力信号Ｓｄ３を加算して第５直流出力信号Ｓｄ５を出力し、第２加算器22は入力された第２直流出力信号Ｓｄ２および第４直流出力信号Ｓｄ４を加算して第６直流出力信号Ｓｄ６を出力する。ここで、第１加算器21および第２加算器22は、それぞれ直流電圧を加算するだけなので、例えば、通常のオペアンプを用いた利得一定の加算器を用いることができる。
【００２４】
次に、第５直流出力信号Ｓｄ５は第１基準信号Ｒｅｆ１とともに第５乗算器15に入力され、第６直流出力信号Ｓｄ６は第２基準信号Ｒｅｆ２とともに第６乗算器16に入力される。第５乗算器15は、入力された第５直流出力信号Ｓｄ５および第１基準信号Ｒｅｆ１を乗算して第１高周波出力信号Ｓｏ１を出力し、第６乗算器16は、入力された第６直流出力信号Ｓｄ６および第２基準信号Ｒｅｆ２を乗算して第２高周波出力信号Ｓｏ２を出力する。ここで、第１高周波出力信号Ｓｏ１は、第１高周波入力信号Ｓｉ１および第２高周波入力信号Ｓｉ２がベクトル加算された信号における第１基準信号Ｒｅｆ１と同相の信号になっており、第２高周波出力信号Ｓｏ２は、第１高周波入力信号Ｓｉ１および第２高周波入力信号Ｓｉ２がベクトル加算された信号における第１基準信号Ｒｅｆ１に直交する信号になっている。すなわち、第１高周波出力信号Ｓｏ１および第２高周波出力信号Ｓｏ２は互いに直交する信号になっている。
【００２５】
そして、第１高周波出力信号Ｓｏ１および第２高周波出力信号Ｓｏ２は合成されて出力端子44から第３高周波出力信号Ｓｏ３として出力される。このようにして、第１高周波入力信号Ｓｉ１および第２高周波入力信号Ｓｉ２がベクトル加算された信号である第３高周波出力信号Ｓｏ３を得ることができる。なお、本例の加算回路において、第１〜第６乗算器11〜16としては、例えばギルバートセル型ミキサ等のミキサ用いることができる。
【００２６】
このような構成を備える本発明の加算回路によれば、入力された第１高周波入力信号Ｓｉ１および第２高周波入力信号Ｓｉ２のそれぞれを、互いに直交する信号の直流成分である２つの直流信号に変換した後に、互いに同相の信号の直流成分である直流信号同士を第１加算器21および第２加算器22で加算して２つの直流信号を得るとともに、その２つの直流信号を互いに直交する２つの高周波信号に変換した後で合成することにより、第１高周波入力信号Ｓｉ１および第２高周波入力信号Ｓｉ２がベクトル加算された信号である第３高周波出力信号Ｓｏ３を得ることができる。よって、第１加算器21および第２加算器22で加算するのは直流信号であるため、高周波領域でも良好に使用可能な加算回路を得ることができる。また、出力端子44と第１入力端子41および第２入力端子42との間にそれぞれ２つの乗算器が配置されていることから、出力端子44から第１入力端子41および第２入力端子42をみたインピーダンスが十分に高くなるので、第１入力端子41および第２入力端子42に接続される外部回路のインピーダンスに左右されることなく、良好に第１高周波入力信号Ｓｉ１および第２高周波入力信号Ｓｉ２をベクトル加算することができる。
【００２７】
また、本例の加算回路においては、第１制御端子45が第１加算器21に接続されており、第１制御端子45を介して第１直流補助信号Ｓａ１が第１加算器21に入力される。また、第２制御端子46が第２加算器22に接続されており、第２制御端子46を介して第２直流補助信号Ｓａ２が第２加算器22に入力される。そして、第１加算器21は、第１直流出力信号Ｓｄ１，第３直流出力信号Ｓｄ３および第１直流補助信号Ｓａ１を加算して第５直流出力信号Ｓｄ５を出力し、第２加算器22は、第２直流出力信号Ｓｄ２，第４直流出力信号Ｓｄ４および第２直流補助信号Ｓａ２ａ１を加算して第６直流出力信号Ｓｄ６を出力する。
【００２８】
このような構成を備える本例の加算回路によれば、第１直流補助信号Ｓａ１および第２直流補助信号Ｓａ２の電圧を変化させることにより、第１直流出力信号Ｓｄ１および第２直流出力信号Ｓｄ２の電圧を変化させることができ、これによって、第１高周波出力信号Ｓｏ１および第２高周波出力信号Ｓｏ２の振幅を変化させることができる。すなわち、第１直流補助信号Ｓａ１および第２直流補助信号Ｓａ２によって、第３高周波出力信号Ｓｏ３を構成する２つの直交成分である第１高周波出力信号Ｓｏ１および第２高周波出力信号Ｓｏ２の振幅を個別に制御することができるので、第３高周波出力信号Ｓｏ３の振幅および位相を任意に制御することが可能になる。これにより、例えば第３高周波出力信号Ｓｏ３の誤差補正を容易に行なうことができる。
【００２９】
（実施の形態の第２の例）
図２は本発明の電力増幅回路の実施の形態の一例を模式的に示すブロック図である。
【００３０】
本例の電力増幅回路は、図２に示すように、包絡線変動を有する入力信号Ｓｉを第１定包絡線信号Ｓｃ１および第２定包絡線信号Ｓｃ２に変換して出力する定包絡線信号生成回路71と、入力された２つの定包絡線信号をそれぞれ増幅して出力する２つの増幅器72，73と、増幅後の２つの定包絡線信号が第１高周波入力信号Ｓｉ１および第２高周波入力信号Ｓｉ２として入力されて第３高周波出力信号Ｓｏ３を出力信号として出力する本発明の加算回路74とを備えている。
【００３１】
本例の電力増幅回路はＬＩＮＣ（Linear Amplification with Nonlinear Component）方式の電力増幅回路であり、定包絡線信号生成回路71としては、ＬＩＮＣ方式の電力増幅回路において包絡線変動を有する入力信号を２つの定包絡線信号に変換するのに用いられる種々の定包絡線信号生成回路を用いることができる。増幅器72，73としては、一般的な非線形増幅器を用いることができる。
【００３２】
本例の電力増幅回路によれば、増幅器72，73として電力付加効率の高い非線形増幅器を用いることができるので、包絡線変動を有する入力信号を高い電力付加効率で増幅することができる。また、高周波領域でも良好に使用可能であるとともに出力信号の誤差補正が容易な本発明の加算回路74を用いていることから、高周波領域でも良好に使用可能であるとともに、出力信号の誤差補正が容易な電力増幅回路を得ることができる。
【００３３】
（実施の形態の第３の例）
図３は本発明の加算回路を用いた送信装置の構成例を示すブロック図である。
【００３４】
本例の送信装置は、図３に示すように、送信回路81が本発明の電力増幅回路70を介してアンテナ82に接続されている。このような構成を有する本例の送信装置によれば、送信回路81から出力された包絡線変動を有する送信信号を、高周波領域で良好に使用できるとともに電力付加効率が高い本発明の電力増幅回路70を用いて増幅することができるので、高周波領域で良好に使用できるとともに消費電力が小さい送信装置を得ることができる。
【００３５】
（実施の形態の第４の例）
図４は本発明の加算回路を用いた通信装置の構成例を示すブロック図である。
【００３６】
本例の通信装置は、図４に示すように、送信回路81および受信回路83がアンテナ82に接続されており、送信回路81とアンテナ82との間に本発明の電力増幅回路70が挿入されている。また、アンテナ82と電力増幅回路70および受信回路83との間にはアンテナ共用回路84が挿入されている。このような構成を有する本例の通信装置によれば、送信回路81から出力された包絡線変動を有する送信信号を、高周波領域で良好に使用できるとともに電力付加効率が高い本発明の電力増幅回路70を用いて増幅することができるので、高周波領域で良好に使用できるとともに消費電力が小さい通信装置を得ることができる。
【００３７】
（変形例）
本発明は前述した実施の形態の例に限定されるものではなく、本発明の要旨を逸脱しない範囲において種々の変更，改良が可能である。
【００３８】
例えば、前述した実施の形態の第１の例の加算回路においては、第１基準信号Ｒｅｆ１を第１移相器31および第２移相器32を用いて第２基準信号Ｒｅｆ２に変換する例を示したが、第１基準信号Ｒｅｆ１および第２基準信号Ｒｅｆ２が別々に入力されるようにしてもよく、この場合には、第１移相器31および第２移相器32は不要である。また、第３高周波出力信号Ｓｏ３の誤差補正等が不要な場合には、第１制御端子45および第２制御端子46は不要である。
【００３９】
また、前述した実施の形態の第１の例の加算回路においては、第１〜第６乗算器11〜16内にキャパシタで構成した図示せぬ高調波抑圧回路を設けた例を示したが、例えば第１〜第６乗算器11〜16と第１，第２加算器21，22との間等の加算回路内の他の場所に高調波抑圧回路を設けてもよい。また、高調波抑圧回路は、外部回路に設けるようにしてもよく、高調波が問題にならない場合には設けなくても構わない。
【実施例】
【００４０】
次に、本発明の加算回路の具体例について説明する。
【００４１】
図１に示した実施の形態の第１の例の加算回路から第１制御端子45，第２制御端子46およびこれらと第１加算器21，第２加算器22とを接続する配線を取り除いた回路の動作をシミュレーションによって確認した。第１高周波入力信号Ｓｉ１，第２高周波入力信号Ｓｉ２および第１基準信号Ｒｅｆ１の周波数は１ＧＨｚとした。
【００４２】
図５はそのシミュレーション結果を示す図であり、ｍ１が第１高周波入力信号Ｓｉ１，ｍ３が第２高周波入力信号Ｓｉ２，ｍ２が第３高周波出力信号Ｓｏ３を示しており、それぞれ振幅および位相をベクトル表示している。図５に示す図において、第１高周波入力信号Ｓｉ１は振幅が210.8ｍＶで位相が120°，第２高周波入力信号Ｓｉ２は振幅が210.8ｍＶで位相が０°，第３高周波出力信号Ｓｏ３は振幅が199.5ｍＶで位相が60°であり、第１高周波入力信号Ｓｉ１および第２高周波入力信号Ｓｉ２が精度良くベクトル加算されて第３高周波出力信号Ｓｏ３が得られていることがわかる。これにより本発明の有効性が確認できた。
【図面の簡単な説明】
【００４３】
【図１】本発明の加算回路の実施の形態の一例を模式的に示すブロック図である。
【図２】本発明の加算回路を用いた電力増幅回路の実施の形態の一例を模式的に示すブロック図である。
【図３】本発明の電力増幅回路を用いた送信装置の実施の形態の一例を模式的に示すブロック図である。
【図４】本発明の電力増幅回路を用いた通信装置の実施の形態の一例を模式的に示すブロック図である。
【図５】本発明の加算回路のシミュレーション結果を示す図である。
【符号の説明】
【００４４】
11：第１乗算器
12：第２乗算器
13：第３乗算器
14：第４乗算器
15：第５乗算器
16：第６乗算器
21：第１加算器
22：第２加算器
44：出力端子44
【図１】
2010153967.tif 000003
【図２】
2010153967.tif 000004
【図３】
2010153967.tif 000005
【図４】
2010153967.tif 000006
【図５】
2010153967.tif 000007